(57)【要約】【課題】光中継器の１チャネル当たりの出力パワーの変動を抑制することを可能とするＷＤＭ−ＰＯＮシステムを提供する。【解決手段】ＰＯＮシステムは、複数の加入者端末装置と、それらから送信された光信号をそれぞれ増幅して複数の増幅上り光信号を生成する光中継器と、局舎側装置とを備える。局舎側装置は、複数の増幅上り光信号に基づいて、複数の加入者端末装置のうち同時に光信号を送信できる少なくとも１つの送信可能加入者端末装置の数を決定し、その数に応じて光中継器の利得を設定する。そのため、出力パワーの変動が抑制される。【選択図】図１
2010041642.tif 000002
【特許請求の範囲】
【請求項１】
複数の加入者端末装置と、
前記複数の加入者端末装置から送信された光信号をそれぞれ増幅して複数の増幅上り光信号を生成する光中継器と、
前記複数の増幅上り光信号に基づいて、前記複数の加入者端末装置のうち同時に光信号を送信できる少なくとも１つの送信可能加入者端末装置の数を決定し、前記数に応じて前記光中継器の利得を設定する局舎側装置と
を具備するＰＯＮシステム。
【請求項２】
請求項１に記載されたＰＯＮシステムであって、
前記少なくとも１つの送信可能加入者端末装置の各々は、前記局舎側装置へ実信号を送信していないとき、前記局舎側装置へ擬似信号を送信する
ＰＯＮシステム。
【請求項３】
請求項２に記載されたＰＯＮシステムであって、
前記局舎側装置は、前記擬似信号を検知したとき、検知時刻と、前記擬似信号を送信した前記少なくとも１つの送信可能加入者端末装置を特定する擬似信号送信中端末装置識別子とを記憶装置に格納する
ＰＯＮシステム。
【請求項４】
請求項３に記載されたＰＯＮシステムであって、
前記局舎側装置は、前記検知時刻を参照することによって前記少なくとも１つの送信可能加入者端末装置のうちの第１端末装置から前記擬似信号が所定時間以上送信されていることを認識したとき、前記光中継器の利得を下げるように設定し、且つ、前記第１端末装置を前記少なくとも１つの送信可能加入者端末装置のリストから外す
ＰＯＮシステム。
【請求項５】
請求項３又は４に記載されたＰＯＮシステムであって、
前記局舎側装置は、第２端末装置が前記複数の加入者端末装置に加わって前記局舎側装置へ信号の送信を開始するとき、前記記憶装置に格納された前記擬似信号送信中端末装置識別子によって特定される前記少なくとも１つの送信可能加入者端末装置を前記少なくとも１つの送信可能加入者端末装置のリストから外し、且つ、前記第２端末装置を前記少なくとも１つの送信可能加入者端末装置のリストに加える
ＰＯＮシステム。
【請求項６】
請求項２から５のいずれかに記載されたＰＯＮシステムであって、
前記局舎側装置は、第３端末装置が前記複数の加入者端末装置に加わって前記局舎側装置へ信号の送信を開始するとき、且つ、前記擬似信号送信中端末装置識別子を検索することによって、前記擬似信号を送信している前記少なくとも１つの送信可能加入者端末装置が存在しないと判断したとき、前記光中継器の利得を上げるように設定してから前記第３端末装置の前記局舎側装置に対する信号送信を許可する
ＰＯＮシステム。
【請求項７】
請求項１から６のいずれかに記載されたＰＯＮシステムであって、
前記局舎側装置は、第４端末装置が前記複数の加入者端末装置に加入するための新規登録手続をするとき、前記第４端末装置に対して通知送信可能化時刻を送信し、
前記第４端末装置は、前記局舎側装置との光通信を休止する休止モードから復旧して信号送信を開始するとき、前記局舎側装置に対する光通信の信号量を前記通知送信可能化時刻に示されたタイミングで前記局舎側装置に通知する
ＰＯＮシステム。
【請求項８】
請求項２から６のいずれかに記載されたＰＯＮシステムであって、
前記局舎側装置は、前記少なくとも１つの送信可能加入者端末装置の数を所定数以上に保つことにより、前記光中継器への入力パワーを一定以上に保つ
ＰＯＮシステム。
【請求項９】
複数の加入者端末装置から送信された光信号をそれぞれ増幅して複数の増幅上り光信号を生成して局舎側装置に送信する工程と、
前記複数の増幅上り光信号に基づいて、前記複数の加入者端末装置のうち同時に光信号を送信できる少なくとも１つの送信可能加入者端末装置の数を決定し、前記数に応じて前記光中継器の利得を設定する工程と
を具備するＰＯＮシステムの光通信方法。
【請求項１０】
請求項９に記載されたＰＯＮシステムの光通信方法であって、
前記少なくとも１つの送信可能加入者端末装置の各々は、前記局舎側装置へ実信号を送信していないとき、前記局舎側装置へ擬似信号を送信する
ＰＯＮシステムの光通信方法。
【発明の詳細な説明】
【技術分野】
【０００１】
本発明は、光伝送システムに関する。本発明は特に、ＰＯＮ（Ｐａｓｓｉｖｅ  Ｏｐｔｉｃａｌ  Ｎｅｔｗｏｒｋ，受動光ネットワーク）システムに適した光中継システムに関する。
【背景技術】
【０００２】
ＰＯＮシステムは伝送路ファイバ、局舎側装置（Ｏｐｔｉｃａｌ  Ｌｉｎｅ  Ｔｅｒｍｉｎａｌ，以下ＯＬＴと記載する）を複数の加入者（Ｏｐｔｉｃａｌ  Ｎｅｔｗｏｒｋ  Ｕｎｉｔ，以下ＯＮＵと記載する）で共有できる経済性の良い光通信システムである。
【０００３】
光通信において、トラフィックの増大にともなって、広帯域化が進んできている。ＴＤＭ（Ｔｉｍｅ−Ｄｉｖｉｓｉｏｎ  Ｍｕｌｔｉｐｌｅｘｉｎｇ）方式の光通信システムが知られているが、この方式が適している通信速度は１０Ｇｂｐｓ程度までと考えられている。それ以上の広帯域では、基幹系伝送システムがそうであったように、ＷＤＭ（Ｗａｖｅｌｅｎｇｔｈ  Ｄｉｖｉｓｉｏｎ  Ｍｕｌｔｉｐｌｅｘｉｎｇ）−ＰＯＮが有望視されている。
【０００４】
以下、出願人が知り得た文献を挙げる。
【特許文献１】特開２００４−０７２１７０号公報
【特許文献２】特開２００４−１１２７６３号公報
【特許文献３】特開２００７−１９５２２７号公報
【特許文献４】特開平１０−２２９３８６号公報
【発明の開示】
【発明が解決しようとする課題】
【０００５】
ＷＤＭ−ＰＯＮでは各々のＯＮＵに一波長が対応する。そのためＴＤＭ−ＰＯＮとは異なり、ＯＮＵからＯＬＴへ信号を送信するタイミングを調整する必要はない。従って、基本的に自由なタイミングでデータを送信できる。
【０００６】
しかし、光中継器を含むＷＤＭ−ＰＯＮにおいて、各ＯＮＵが全く自由に光信号を送信すると、光中継器に入力するパワーが変動してしまう。光中継器は通常、トータルの出力パワーが一定になるようにＡＬＣ（Ａｕｔｏｍａｔｉｃ  Ｌｅｖｅｌ  Ｃｏｎｔｒｏｌ）が適用されている。そのため、入力総パワーが変動すると、光中継器における１チャネル当たりの出力パワーが変動する。エラーや波長間干渉を抑制するために、また受信器の保護のために、出力パワーの変動が抑制されることが望まれる。
【０００７】
ＯＬＴ側への上り信号のない時に常に擬似的な信号を送信する機能を有するＯＮＵを採用することによって、光中継器の入力パワーの変動を抑えることができる。その結果、１チャネル当たりの出力パワーを一定に保つことができる。しかし、こうした構成では、擬似信号を出力するために光中継器の消費電力が格段に大きくなるという問題がある。
【０００８】
省電力且つ光中継器の１チャネル当たりの出力パワーの変動を抑制することを可能とするＷＤＭ−ＰＯＮシステムが望まれる。
【課題を解決するための手段】
【０００９】
本発明によるＰＯＮシステムは、複数の加入者端末装置と、複数の加入者端末装置から送信された光信号をそれぞれ増幅して複数の増幅上り光信号を生成する光中継器と、複数の増幅上り光信号に基づいて複数の加入者端末装置のうち同時に光信号を送信できる少なくとも１つの送信可能加入者端末装置の数を決定し、その数に応じて光中継器の利得を設定する局舎側装置とを備える。
【００１０】
本発明によるＰＯＮシステムの光通信方法は、複数の加入者端末装置から送信された光信号をそれぞれ増幅して複数の増幅上り光信号を生成して局舎側装置に送信する工程と、複数の増幅上り光信号に基づいて複数の加入者端末装置のうち同時に光信号を送信できる少なくとも１つの送信可能加入者端末装置の数を決定し、その数に応じて光中継器の利得を設定する工程とを備える。
【発明の効果】
【００１１】
本発明により、省電力且つ光中継器の１チャネル当たりの出力パワーの変動を抑制することを可能とするＷＤＭ−ＰＯＮシステムが望まれる。
【発明を実施するための最良の形態】
【００１２】
以下、図面を参照して本発明の実施形態について説明する。
図１、図２は本発明の一実施形態におけるＷＤＭ−ＰＯＮにおける光中継システムの構成を示す。図１には上り信号、図２には下り信号が示されている。光中継システムは、加入者端末装置である複数のＯＮＵ１と、光スプリッタである波長スプリッタ４と、光中継器５と、局舎側装置であるＯＬＴ６とを備える。ＯＮＵ１は、ＯＮＵ１−１〜ＯＮＵ１−ｎ（ｎは整数）を含む。これらｎ台のＯＮＵのうち、説明の便宜のために、ＯＮＵ１−ａとＯＮＵ１−ｂが図示されている。各ＯＮＵ１−ｋに付加されている枝番ｋは、以下の説明において光信号のチャネル番号＃ｋとしても用いられる。
【００１３】
波長スプリッタ４は、各ＯＮＵ１から送信される上り信号を合波して光中継器５を介してＯＬＴ６に送信する。波長スプリッタ４はまた、ＯＬＴ６から光中継器５を介して送信される下り信号を分波して各ＯＮＵ１に送信する。光中継器５は、上り信号および下り信号を増幅する。
【００１４】
［動作の説明］
次に、図６のフローチャートを参照して、本実施形態における光中継システムの動作を説明する。説明のための最も単純な例として、以下の条件を仮定する。
（ａ）各ＯＮＵ１と光中継器５の間と、光中継器５とＯＬＴ６の間のロスバジェットが同じである。
（ｂ）各ＯＮＵ１及びＯＬＴ６の送信パワーが同じである。換言すると、光中継器に入力される上り下り各チャネルのパワーが同一である。
（ｃ）光中継器５は上り下り双方の信号を同時に増幅する。
（ｄ）同ＯＮＵ１における上り信号の波長と下り信号の波長が同一でない。
【００１５】
上記（ｄ）の条件は、上り下りで近接する波長を使い、波長スプリッタ４で同チャネルの上り下り双方の波長を他のチャネルの波長からスプリットすることで実現可能である。このような処理は、図３に示すような通過領域を有する波長スプリッタを用いることにより実現可能である。例えばＯＮＵ１−１の上り信号＃１と下り信号＃１とは互いに異なり且つ近接した波長を有する。ＯＮＵ１−１に対応して設けられる波長スプリッタｃｈ＃１は、上り信号＃１の波長帯と下り信号＃１の波長帯とを含む透過領域を有する。且つこの透過領域には、他のＯＮＵ１−ｋ（ｋ≠１）の上り信号＃ｋと下り信号＃ｋとは入らない。このような波長スプリッタにより、一のＯＮＵにおいて互いに異なる波長の上り信号と下り信号を用いることができる。
【００１６】
次に、新規にＯＮＵ１を敷設する場合の動作について説明する。新規に敷設されるＯＮＵ１をＯＮＵ１−ａとする。新規ＯＮＵ１−ａが敷設される（ステップＳ２）。敷設されたＯＮＵ１−ａが稼働した時、まずＯＬＴ６はＯＮＵ１−ａを認識し、遅延時間の測定をする（Ｄｉｓｃｏｖｅｒｙ＿Ｐｒｏｃｅｓｓ、ステップＳ４）。このＤｉｓｃｏｖｅｒｙ＿Ｐｒｏｃｅｓｓの詳細が図５に示されている。
【００１７】
図５を参照して、ＯＬＴ６は、新規に追加されたＯＮＵ１−ａに対して、ＯＬＴ６の内部時計で計測した現在時刻Ｔ１を含む、登録要求信号（以下“Ｄｉｓｃｏｖｅｒｙ＿Ｇａｔｅ”）を送信する。それに対し、ＯＮＵ１−ａがＯＮＵ１−ａの内部時計で計測した送信時刻Ｔ２を含む信号“Ｒｅｇｉｓｔｅｒ＿Ｒｅｑｕｅｓｔ”を返信する。“Ｒｅｇｉｓｔｅｒ＿Ｒｅｑｕｅｓｔ”がＯＬＴ６に到着した時刻をＯＬＴ６の内部時計でＴ３とすると、ＯＬＴ６は、Ｔ１，Ｔ２，Ｔ３からＯＬＴ６とＯＮＵ１−ａの間の遅延差ΔＴを測定することができる。ＯＬＴ６は、新規ＯＮＵ１−ａを特定する識別子（ＬＬＩＤ，Ｌｏｇｉｃａｌ  Ｌｉｎｋ  ＩＤなど）と、それに対応する遅延時間ΔＴとを対応づけた遅延時間テーブルを生成して自記憶装置に格納する。
【００１８】
本来、遅延時間測定は、ＴＤＭ  ＰＯＮにおいて上りバースト信号のタイミング調整用に行うものである。しかしＷＤＭ  ＰＯＮにおいても上り信号量を通知する“Ｒｅｐｏｒｔ”などＯＬＴ６との通信用の信号はバースト信号で行った方が省電力な時もあるため、遅延時間を測定してタイミング調整を行う。なお、より省電力化するために、“Ｄｉｓｃｏｖｅｒｙ＿Ｇａｔｅ”信号を非稼働のすべてのＯＮＵ１に送信し続けることを避け、新規にＯＮＵ１−ａが登録される時、ＯＬＴ６に予め手動で新規登録についての情報を入力しておくのが良い。
【００１９】
ＯＬＴ６は、ＯＮＵ１−ａの新規追加に応じて光中継器５の利得を上げる（ステップＳ６）。その後、ＯＬＴ６は、新規追加されたＯＮＵ１−ａに上り信号送信許可を出す（ステップＳ８）。詳しくは、図５の“Ｒｅｇｉｓｔｅｒ（ＬＬＩＤ通知）”以降を参照して、ＯＬＴ６は、新規ＯＮＵ１−ａの登録を受け付けたことを示す信号“Ｒｅｇｉｓｔｅｒ”を当該ＯＮＵ１−ａに送信する。“Ｒｅｇｉｓｔｅｒ”にはＯＬＴ６が発行したＬＬＩＤ（Ｌｏｇｉｃａｌ  Ｌｉｎｋ  ＩＤ）が含まれる。ＯＬＴ６は更に、新規ＯＮＵ２に送信許可を与える信号“Ｇａｔｅ”を送信する。この“Ｇａｔｅ”には、新規ＯＮＵ１−ａが上り信号を送信するときの送信開始時刻Ｔ５と、送信を持続する時間を示す送信時間Ｌが含まれる。ＯＮＵ１−ａは、“Ｒｅｇｉｓｔｅｒ”を受信したことを示す信号“Ｒｅｇｉｓｔｅｒ＿ＡＣＫ”を、受信した“Ｇａｔｅ”に示された通信条件でＯＬＴ６に送信する。
【００２０】
ＯＬＴ６が光中継器５の利得を相応分上げた後、ＯＮＵ１−ａは、上り方向の実信号がある時のみならず、上り方向の実信号がない時も擬似的な信号を出すことにより、上り信号を連続的に出し続ける。この擬似的な信号を出しているときのＯＮＵの状態を以下、スタンバイモードと呼ぶ。新規にＯＮＵ１が追加される度に、上り信号を送信するＯＮＵ１の数が一定の基準に達するまで、こうした処理が行われる。
【００２１】
ＯＬＴ６は、上り信号（実信号または擬似信号）を送信しているＯＮＵ１の数と、予め記憶している数ｋとの大小関係を判定する（ステップＳ９）。ＯＬＴ６は、光中継器５を介して通信しているＯＮＵ１の数がｋに達するまで、新規ＯＮＵを上り信号の送信を許可するＯＮＵ１に加え続ける。ＯＮＵ１の数がｋより小さいときは、上り信号の送信が許可されていないＯＮＵ１に対して新たに上り信号の送信を許可する。
【００２２】
以上の設定により、稼働中のＯＮＵ１の数が一定以上に保たれる（ステップＳ１０）。その結果、光中継器５に入力されるパワーが一定以上に保たれ、光中継器５の入力パワーの変動率が低く抑えられる。
【００２３】
ＯＬＴ６は、稼働しているＯＮＵ１が一定数ｋを超えた時、次の制御工程に移行する。すなわち、ＯＬＴ６はＯＮＵ１からの総上りトラフィック量に応じて、一度に上り信号を送信することができるＯＮＵ数ｎ（ｎ≧ｋ）を決定する。またＯＬＴ６は、ＯＮＵ１への下りトラフィック量に応じて、一度にＯＬＴ６からＯＮＵ１へ送信するチャネル数ｎ’を決定する。ＯＬＴ６は、光中継器５の利得を、総チャネル数ｎ＋ｎ’に応じた値に設定する。
【００２４】
一度上り信号送信許可を受けたＯＮＵ１は、上り信号送信断の指示をＯＬＴ６から受けるまで、上り方向の実信号がない時に擬似的な信号を出すことにより、上り信号を出し続ける。こうした動作により、ＯＮＵ１からの上り信号数ｎが一定に保たれる。同様にＯＬＴ６は、一度下り信号送信許可をうけたチャネルに、下り信号送信断の指示を受けるまで、下り方向の実信号がない時に擬似的な信号を出す。この動作により、下り信号数ｎ’が一定に保たれる。
【００２５】
ＯＬＴ６は各ＯＮＵ１からの上り信号が通常の実信号か疑似信号であるかを判定し、疑似信号であると判断した時は、そのスタンバイモードにあるＯＮＵ１の識別子と疑似信号に切り替わった時刻をテーブルに保持して記憶する機能を有する。図４のテーブルＴ１はその例を示す。テーブルＴ１の左欄はＯＮＵの識別子を示す。中欄は擬似信号を送信しているか（「１」で示される）実信号を送信しているか（「０」で示される）を示すフラグを示す。右欄は擬似信号を送信しているＯＮＵについて擬似信号の送信開始時刻を示す。また同様にＯＬＴ６は下り信号がない送信チャネルに疑似信号を送信し、そのＯＬＴ６の送信チャネルを特定する識別子と疑似信号に切り替えた時刻をテーブルＴ２に保持する機能を有する。図４のテーブルＴ２はその例を示す。
【００２６】
現在上り信号を送信していないＯＮＵ（ＯＮＵ１−ａとする）が上り信号の送信を要求した時、以下のような処理が実行される。
【００２７】
（１）ＯＬＴ６は、テーブルＴ１を検索して、現在上り信号を送信しているＯＮＵ１の中で実信号でなく疑似信号を送信しているＯＮＵ（ＯＮＵ１−ｂとする）を探す。ＯＬＴ６は、ＯＮＵ１−ｂに上り信号送信断の指示をした上で、ＯＮＵ１−ａに信号送信許可を出す。
【００２８】
（２）上り信号の送信要求を受信したＯＬＴ６は、疑似信号を送信しているＯＮＵ１がない時は、一度に送信できるチャネル数をｎ＋１に増やし、光中継器５の利得をその増加に相応した分上げる。その後、ＯＬＴ６はＯＮＵ１−ａに信号送信許可を出す。
【００２９】
各ＯＮＵ１は、定期的にかつ順番に、ＯＬＴ６に対して上り信号量を通知する信号“Ｒｅｐｏｒｔ”を送信する。ＯＬＴ６は、この信号“Ｒｅｐｏｒｔ”により、ＯＮＵ１−ａが信号送信を要求していることを認識することができる。実信号の送信を行っているＯＮＵは、信号“Ｒｅｐｏｒｔ”を入れた実信号をＯＬＴ６に送信する。スタンバイモードのＯＮＵは、ＯＬＴ６から割り当てられた時刻に信号“Ｒｅｐｏｒｔ”を送信する。各ＯＮＵ１が順番に光信号を送信するのであるから、上り信号の増加分は最大１チャネル分である。そのため、大きなチャネル数の変動とはならない。
【００３０】
ただし、このような処理では、上り信号を送信していないＯＮＵ１について、光信号の出力を止めた状態（以下ハイバーネーションモード）に設定することによる省電力化のメリットがなくなる。この問題を改善する方法として、以下の処理を採用することができる。Ｄｉｓｃｏｖｅｒｙ＿Ｐｒｏｃｅｓｓにおいて予め各々のＯＮＵ１に“Ｒｅｐｏｒｔ”の送信可能時刻を設定する。ＯＮＵ１は、実信号がない時、擬似信号を送信するスタンバイモードに移行する（ステップＳ２８）。ＯＬＴ６は、ＯＮＵがスタンバイモードに移行してからの経過時間をモニタし、所定時間が経過した場合（ステップＳ３０）、光中継器５の利得を１チャネル分下げる（ステップＳ３２）。ＯＮＵ１は、その後さらに一定時間以上、上り信号がない時は、ＯＬＴ６の許可を得た後、ハイバーネーションモードに移行する（ステップＳ３４）。
【００３１】
ＯＮＵ１は、ハイバーネーションモード時に上り信号を送信する必要がでた時（ステップＳ１２）、ハイバーネーションモードから通常の動作モードに復旧する（ステップＳ１４）。ＯＮＵ１は、そのときすぐに“Ｒｅｐｏｒｔ”を送信するのではなく、あらかじめ割り当てられた時刻になってから“Ｒｅｐｏｒｔ”を送信する（ステップＳ１６）。このようにすれば、定期的な“Ｒｅｐｏｒｔ”を必要としないので省電力である。且つ、他のＯＮＵと“Ｒｅｐｏｒｔ”がぶつかることはなく、上り信号の最大変動が１チャネル分に収まる。図７はこうした各ＯＮＵの動作を示す。ｃｈ＃１、ｃｈ＃ｂ、ｃｈ＃ｎで互いに異なった時間帯に“Ｒｅｐｏｒｔ”が送信されている。
【００３２】
またこの変動による光中継器での１チャネル当たりの出力パワー変動率を低く抑えるためには、トラフィックのない時もｎ＋ｎ’をある程度大きくしておくことが望ましい。例えばｎ＋ｎ’を１０程度にしておけば、光中継器の１チャネル当たりの出力パワー変動は１０％つまり０．４ｄＢ程度で済む。
【００３３】
同様に現在下り信号を送信しているチャネル以外のチャネル（以下ｃｈ＃ａとする）で下り信号を送信したい時、以下の処理が行われる。
（１）ＯＬＴ６は、テーブルＴ２を検索して、現在下り信号を送信しているチャネルの中で、実信号ではなく疑似信号を送信しているチャネル（以下ｃｈ＃ｂとする）を探す。擬似信号を送信しているチャネルがあったときは（ステップＳ１８有り）、そのチャネルのＯＮＵの光出力を止めることを指示する信号を送信してＯＮＵをハイバーネーションモードに設定した上で（ステップＳ２０）、ｃｈ＃ａの信号送信許可を出す（ステップＳ２２）。
（２）疑似信号を送信しているチャネルがない時は（ステップＳ１８無し）、一度に送信できるチャネル数をｎ’＋１とし、光中継器の利得をそれに対応した分上げた後（ステップＳ２４）、ｃｈ＃ａの信号送信許可を出す（ステップＳ２６）。
【００３４】
また、あるＯＮＵ１あるいはＯＬＴ５のあるチャネルが疑似信号を送信している時間が一定時間を超えた場合、ＯＬＴ５は、光中継器５の利得をそれに相応した分下げた後、該当ＯＮＵあるいは該当チャネルの光出力を止める。
【００３５】
以上の制御によって、光中継器に入力されるトータルのチャネル数つまり光パワーを一定にし、そのチャネル数に見合った利得に光中継器を設定することにより、１チャネル当たりの光中継器の出力を一定に制御することができる。その結果、使用されないＯＮＵ、ＯＬＴのチャネル、そして光中継器５の省電力化を図ることが出来る。
【図面の簡単な説明】
【００３６】
【図１】図１は、光中継システムの構成を示す。
【図２】図２は、光中継システムの構成を示す。
【図３】図３は、波長スプリッタの通過領域を示す。
【図４】図４は、ＯＮＵの擬似信号に関する情報を格納するテーブルを示す。
【図５】図５は、新規ＯＮＵのＤｉｓｃｏｖｅｒｙ＿Ｐｒｏｃｅｓｓを示す。
【図６】図６は、光中継システムの動作を示す。
【図７】図７は、ＯＮＵがＲｅｐｏｒｔ信号を送信可能な時間帯を示す。
【符号の説明】
【００３７】
１  ＯＮＵ
４  波長スプリッタ
５  光中継器
６  ＯＬＴ
【図１】
2010041642.tif 000003
【図２】
2010041642.tif 000004
【図３】
2010041642.tif 000005
【図４】
2010041642.tif 000006
【図５】
2010041642.tif 000007
【図６】
2010041642.tif 000008
【図７】
2010041642.tif 000009